(57)【特許請求の範囲】
【請求項１】
裏面側のほぼ全体に粘着部を有する表面シートと、この表面シートの裏面側にあって前記粘着部に対して剥離可能に重合された裏面シートとを有する粘着伝票用シートであって、
前記表面シート及び裏面シートは左右方向に沿って設けられた横断線を境として、上下方向に分けられた第１領域と第２領域とされ、
前記表面シートの前記第１領域に第１情報記録部が、前記第２領域に第２情報記録部が形成され、
前記裏面シートの前記第１領域に、前記横断線の両端からそれぞれ内側に位置する第１端点を起点として、ほぼコ字状の線状の第１切り離し部が形成され、
その第１切り離し部を境として、その裏面シートの周辺の部分を除去して、前記表面シートの周辺粘着部を露出可能であり、
前記第１情報記録部が、前記第１切り離し部より内側に設けられ、前記表面シート及び裏面シートを貫通して形成した切り離しミシン目線部を境にして、前記第１領域より切り離し可能とされ、
前記裏面シートの前記第２領域に、前記横断線の前記第１端点と同位置またはさらに内側をそれぞれ第２端点として、前記第２領域の上下方向縁に達する線状の第２切り離し部がそれぞれ形成され、前記第２切り離し部及び前記第２端点より外側の横断線部分をそれぞれ境として、前記裏面シート及び表面シートの横方向外側が除去可能とされ、
前記表面シートの周辺粘着部を露出し、かつ、前記裏面シート及び表面シートの横方向外側を除去した状態で、第１領域及び第２領域がそれらの裏面相互が重なるように折り畳まれ、前記周辺粘着部を被着体に貼着する、
ことを特徴とする粘着伝票用シート。
【発明の詳細な説明】
【技術分野】
【０００１】
本発明は主に配送用に使用される粘着伝票用シート関するものであり、特に配送伝票用紙に関するものである。
【背景技術】
【０００２】
近年、カタログ販売、インターネット販売などのいわゆる通信販売と呼ばれる商取引形態が増加している。このような商取引においては、販売者が配送業者を介して顧客に商品を送付することで商品の受け渡しを行うのが一般的である。商取引を行う際、販売者は、送付する商品の商品名や数量、価格といった情報が記載された配送明細書を顧客に対して送付する。この明細書は、注文商品に同梱されて送付されたり、中身が透けて見えない有色の袋体に入れられて商品の梱包箱外面に貼着されて送付されたり、注文商品が梱包された容器に貼着される配送用伝票用紙に添付されたりする（特許文献１）。
【０００３】
その中でも、特許文献１に示されるようなタイプの配送用伝票用紙は、手間およびコストをかけずに明細書などの添付書類を送付される商品に添付可能であって、対象物に貼り付けた状態において明細書などの添付書類が隠蔽可能であり、かつ添付し忘れを確実に防止することができる、という利点を備えている。
【特許文献１】特開２００６−１４２５７４号公報
【発明の開示】
【発明が解決しようとする課題】
【０００４】
商品が梱包された容器は、通常商品の受け渡しが完了すると廃棄されるのが一般的である。その際は、個人情報の保護や配送記録の保管のため、配送日や配送業者等の情報が記された配送用送り状を商品が梱包された容器から切り離すことが望ましい。しかしながら、特許文献１に示されるようなタイプのものは、配送明細とともに届け先の情報が記された部分を分離することができない。もちろん、無理矢理剥がすことも可能ではあるが、剥がす際に配送用伝票用紙が破れてしまうおそれがあるため、容易に分離することができるような仕組みが求められる。また、特許文献１は情報記入欄が重なり合う部分を除く余白部裏面にのみに配送品外面に貼り付けるための貼着部、剥離紙を設けているため、シートに段差が生じ、紙詰まりの恐れがあった。
【０００５】
そこで、本発明の主たる課題は、（１）配送伝票に配送明細書部を組み込むことで、出荷時において配送用送り状部と配送明細書部との照合ミスを防止でき、かつ、配送明細書の添付忘れを防止でき、（２）配送明細書の送付用の封筒を別途用意する必要がなく、その封筒及び封入のためのコストを低減でき、（３）対象物に貼り付けた配送期間中には配送明細部が隠蔽可能であり、より好適には（４）配送用伝票が貼着された梱包容器から配送用送り状および配送明細を容易に分離可能であり、さらに（５）プリンターでの搬送性が良好な、主に配送用に使用される粘着伝票用シートを提供することにある。
【課題を解決するための手段】
【０００６】
上記課題を解決した本発明は次記のとおりである。
＜請求項１記載の発明＞
図面の符号を参照して説明すると次記のとおりである。
裏面側のほぼ全体に粘着部を有する表面シート２と、この表面シート２の裏面側にあって前記粘着部２ａに対して剥離可能に重合された裏面シート３とを有する粘着伝票用シートであって、
前記表面シート２及び裏面シート３は左右方向沿って設けられた横断線４ｂを境として上下方向に分けられた第１領域５，１３と第２領域６，１４とされ、
前記表面シート２の前記第１領域５に第１情報記録部５ａが、前記第２領域６に第２情報記録部６ａが形成され、
前記裏面シート３の前記第１領域１３に、前記横断線４ｂの両端からそれぞれ内側に位置する第１端点４ｃ，４ｃを起点として、ほぼコ字状の線状の第１切り離し部５ｂが形成され、
その第１切り離し部５ｂを境として、その裏面シート３の周辺の部分を除去して、前記表面シート２の周辺粘着部を露出可能であり、
前記第１情報記録部５ａが、前記第１切り離し部５ｂより内側に設けられ、前記表面シート２及び裏面シート３を貫通して形成した切り離しミシン目線部を境にして、前記第１領域５ａより切り離し可能とされ、
前記裏面シート３の前記第２領域１４に、前記横断線４ｂの前記第１端点４ｃ，４ｃと同位置またはさらに内側をそれぞれ第２端点４ｄ，４ｄとして、前記第２領域１４の上下方向縁に達する線状の第２切り離し部６ｂ，６ｂがそれぞれ形成され、前記第２切り離し部６ｂ，６ｂ及び前記第２端点４ｄ，４ｄより外側の横断線４ｂ部分をそれぞれ境として、前記裏面シート３及び表面シート２の横方向外側が除去可能とされ、
前記表面シート２の周辺粘着部を露出し、かつ、前記裏面シート３及び表面シート２の横方向外側を除去した状態で、第１領域１３及び第２領域１４がそれらの裏面相互が重なるように折り畳まれ、前記周辺粘着部を被着体に貼着する、
ことを特徴とする粘着伝票用シート。
【０００７】
（作用効果）
表面シートの表面において、第１領域、前記第２領域が形成されおり、第１領域１３を配送用送り状部とし、第２領域１４を配送明細部とすることができ、それらに送り先情報及び配送明細を記入することで、出荷時において配送用送り状部と配送明細書部との照合ミスを防止でき、かつ、配送明細書の添付忘れを防止できる。したがって、配送明細書の送付用の封筒を別途用意する必要がなく、その封筒及び封入のためのコストを低減できる。
【０００８】
裏面側のほぼ全体に粘着部を有する表面シート２と、この表面シート２の裏面側にあって前記粘着部２ａに対して剥離可能に重合された裏面シート３とを有することで、表面シート２と、裏面シート３が全面的に重合され、全面が２層構造となるため、プリンターでの搬送性が良好となる。
【０００９】
裏面シートの第１領域に、横断線の両端からそれぞれ内側位置を第１端点として、ほぼコ字状の線状の第１切り離し部を形成し、前記第１切り離し部を境として、その裏面シートの周辺の部分を除去し、前記表面シートの周辺粘着部を露出可能としたことで、表面シートの周辺粘着部を露出し、かつ、裏面シート及び表面シートの横方向外側を除去した状態で、周辺粘着部を配送品外面に貼着でき、配送に供することができる。
【００１０】
他方、裏面シートの前記第２領域に、横断線の第１端点と同位置またはさらに内側をそれぞれ第２端点として、第２領域の上下方向縁に達する線状の第２切り離し部をそれぞれ形成し、第２切り離し部及び第２端点より外側の横断線部分をそれぞれ境として、裏面シート及び表面シートの横方向外側を除去可能とされているので、しかも、第１領域及び第２領域がそれらの裏面相互が重なるように折り畳み可能とされているので、第１領域及び第２領域を裏面相互が重なるように折り畳んだ状態で対象物に貼り付けることにより、配送期間中には配送明細部を隠蔽することができる。
【００１１】
さらに、表面シート及び裏面シートは左右方向に沿って設けられた横断線を境として第１領域と第２領域とに分離可能とされているので、必要により、荷受け者が、第１領域から配送明細部が形成された表面シートを裏面シートと共に分離して保管することができる。
【００１２】
【００１３】
また、第１領域１３の第１情報記録部を配送用送り状部とし、第２領域１４の第２情報記録部を配送明細部とすることができ、それらに送り先情報及び送り先情報に関連付けられた配送明細等を記入することで、出荷時において配送用送り状部と配送明細書部との照合ミスを防止できる。
【００１４】
【００１５】
さらに、荷受け者が、配送用伝票用紙が貼着された梱包容器から第１情報記録部を、切り離しミシン目線部を境にして、第１領域より切り離すことにより、第２情報記録部と共に梱包容器から分離でき、第２情報記録部も保管でき、さらに、必要により、配送用送り状部が形成された第１領域から第２情報記録部が形成された表面シートを裏面シートと共に分離すれば、第１情報記録部と第２情報記録部とを別々に保管することができる。
【発明の効果】
【００１６】
以上、本発明によれば、（１）配送伝票に配送明細書部を組み込むことで、出荷時において配送用送り状部と配送明細書部との照合ミスを防止でき、かつ、配送明細書の添付忘れを防止でき、（２）配送明細書の送付用の封筒を別途用意する必要がなく、その封筒及び封入のためのコストを低減でき、（３）対象物に貼り付けた配送期間中には配送明細部が隠蔽可能であり、（４）配送用伝票が貼着された梱包容器から配送用送り状および配送明細を容易に分離した保管することが可能であり、さらに（５）全面が二層構造と成っているため、プリンターでの搬送性が良好である粘着伝票用シートを提供することができる。
【発明を実施するための最良の形態】
【００１７】
以下、本発明に係る配送用伝票用紙の一実施の形態を、図面を参照しつつ詳述する。なお、図上の破線は切り離し可能であるミシン目を、一点鎖線はスリットをそれぞれ示している。また、図中のＸ方向は右方向を、Ｙ方向は上方向をそれぞれ示している。
【００１８】
図１は、本発明に係る配送用伝票用紙１の展開時の様子を示している。配送用伝票用紙１は、図１および図２に示される表面シート２の裏面側と、図３および図４に示される裏面シートの表面側と、を重ね合わせることで形成されている。なお、図１は配送用伝票用紙１および表面シート２の表面側を、図２は表面シート２の裏面側を、図３は裏面シートの表面側を、図４は裏面シートの裏面側を、それぞれ示している。図５から図１３は、配送用伝票用紙１の使用例を示す図である。
【００１９】
表面シート２および裏面シートは、四角形状の紙からできており、展開した状態で相互に重ね合わせた際にその四隅が重なり合うよう同形に形成されている。本発明に係る表面シート２および裏面シートに使用される基紙は、特に限定されるものではなく、従来既知の配送用伝票に用いられている紙等を用いることができる。例えば、古紙パルプあるいはバージンパルプを原料とする紙、合成紙、ポリエチレンフィルムシートあるいはこれらを貼合したもの等が挙げられる。
【００２０】
また、配送伝票として使用される場合、表面シート２は雨に打たれる可能性を考え、湿潤紙力増強剤を内添もしくは外添させた素材が好ましい。尚、環境保護の観点から各種再生紙や森林認証紙を用いても良い。ただし、資源の再利用という観点から、樹脂フィルムがラミネートされた紙等は、避けるのが好ましい。
【００２１】
図２に示されるように、表面シート２裏面側には、粘着性を有する粘着剤層２ａが形成されている。粘着剤層２ａは、この種の配送用伝票の貼着用に用いられている粘着剤を用いて形成すればよい。表面シート２を形成する粘着剤としては、ゴム系粘着剤、アクリル系、シリコーン系、ポリウレタン系、ポリエステル系、有機溶剤系、エマルジョン系、ホットメルト系、紫外線硬化型等の既知の粘着剤を用いることができる。ゴム系接着剤は分子量が大きく弾力性があるため、密着しやすい性質を有する。ゴム系粘着剤としては、例えば、主成分として天然ゴム、ポリイソプレンゴム、ポリイソブチレン、ポリブタジエンゴム、スチレン−ブタジエン−スチレンブロック共重合体、スチレン−イソプレン−スチレンブロック共重合体等の合成ゴムの中から選ばれた少なくとも１種を含有するものが挙げられる。ゴム系粘着剤には、老化防止剤等を混合させるのも好ましい形態である。
【００２２】
アクリル系粘着剤としては、主成分として、アクリル酸エステル単独重合体、アクリル酸エステル単位２種以上を含む共重合体及びアクリル酸エステルと他の官能性単量体との共重合体の中から選ばれた少なくとも１種を含有するものが挙げられる。前記アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。ここで、アクリル系粘着剤を用いるのであれば、リサイクル処理における離解工程や再生工程において、不都合をもたらさないようにすべく、アルカリ可溶性、水溶性又は水再分散性を有するものを用いるのが望ましい。
【００２３】
また、粘着剤には、所望に応じて粘着付与剤、架橋剤、充填剤等が配合される。粘着付与剤としては、例えばロジン系樹脂、ポリテルペン系樹脂等の天然樹脂、Ｃ５系、Ｃ９系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。
【００２４】
表面シート２の厚さは、特に限定はされないが、通常２〜５０μｍ、好ましくは５〜２５μｍである。接着剤層２５や粘着剤２３，２６，２７の厚さを薄くすると、印刷記録する場合において、カット紙とする場合は給紙枚数が増え、連続紙とする場合は質量減少によってプリンターの負荷が減少する。
【００２５】
表面シート２は、粘着剤を、例えば、塗布・塗工等することによって形成することができ、この塗布・塗工は、例えば、エアナイフコーター、ブレードコーター、ロッドメタリングコーター、カーテンコーター、ロールコーター等の従来各種塗工機を応用してパターン塗工できる方法を採用することができる。また、模様印刷あるいはベタ印刷によって接着剤や粘着剤の塗布量や塗布分布を適宜調整することが容易であることから、オフセット印刷、グラビア印刷、凸版印刷、孔版印刷等各種印刷による印刷塗工を採用することもできる。
【００２６】
一方、図３に示されるように、裏面シート表面側には、粘着剤層２ａを有する表面シート２が裏面シートから容易に剥がすことができるよう、剥離剤層３ａが形成されている。この剥離剤層３ａを形成する剥離剤は、剥離性を発現するものであれば特に限定されず、例えば、シリコン、長鎖アルキルポリマー、ポリオレフィン、アルキド樹脂、フッ素化合物等を挙げることができる。剥離剤層３ａは、粘着剤層２ａの形成と同様に、例えば、剥離剤を塗布・塗工等することによって形成することができる。剥離剤の塗布・塗工量としては、用いる剥離剤の種類により適宜変更可能であるが、固形部質量で０．１〜１０ｇ／ｍ2である。
【００２７】
図１に示されるように、表面シート２は、横断線４を境目として第１領域５と、第２領域６からなる部分との二つの四角形部分に分けられている。横断線４は、同一直線状に形成されたスリット４ａ、４ａとミシン目４ｂとから形成されている。スリット４ａ、４ａとミシン目の境目は、第１端点４ｃ、４ｃとなっている。また、横断線４上であって、かつ第１端点より内側には第２端点４ｄ、４ｄが設けられている。
【００２８】
ミシン目４ｂより上方は、表面側に配送用送り状部として住所などの情報が印刷される第１情報記録部５ａが形成（実施例では印刷）されている。第１情報記録部５ａは、ミシン目４ｂの両端を二つの頂点とする矩形状であり、その周縁はコ字状のミシン目５ｂおよびミシン目４ｂによって囲まれている。また、図１および図２に示されるように、第１領域５の第１情報記録部５ａを除く部分には、第１貼着部５ｃであり、その裏面側に粘着剤層２ａが設けられていることにより、第１貼着部５ｃの裏面領域は、配送品外面に対して接着させるための周辺粘着部となっている。
【００２９】
一方、図１および図２に示されるように、ミシン目４ｂからは、図１および図２における下側に向かって表面側に配送明細書部として商品の明細書などの情報が印刷される第２情報記録部６ａを含む第２領域６が延在している。第２領域６は、横断線４の両端を二つの頂点とする矩形状であり、第２情報記録部６ａと第２貼着部６ｃ、６ｃと余白部分７、７とから構成されている。
【００３０】
また、図１および図２に示すように、第２端点４ｄ、４ｄから下側に向かってミシン目６ｄが第２領域６の縁に向かって延在しており、第２領域６上の、ミシン目６ｄとスリット６ｂとの間に、前記の第２貼着部６ｃ、６ｃが形成されている。第２情報記録部６ａは、これらの第２貼着部６ｃ、６ｃと、ミシン目４ｂと図１および図２における第２領域６の下側端縁と、に囲まれ矩形状をなしている。
【００３１】
図１および図２における、第２領域６の上下方向の長さは、第１情報記録部５ａの上下方向の長さと同じか若しくは短く形成されており、横断線４で第２領域６を第１領域５の裏面側に折り返した状態で、第２領域６が第１貼着部５ｃに重ならないにようになっている。このように形成されていることによって、横断線４で第２領域６が第１領域５裏面側に折り返して重ね合わせられた状態で、表面シート２から第１情報記録部５ａおよび第２情報記録部６ａを切り離す際にミシン目６ｄ裏面側が第１貼着部５ｃに貼り付くことがない。
【００３２】
余白部分７、７は、スリット４ａおよびスリット６ｂを二つの端縁として形成される矩形状であって、矩形状の表面シート２から第１領域５および第２領域６を形成した際にできる余白部分である。
【００３３】
第１情報記録部５ａおよび第２情報記録部６ａに情報を記録する方法としては、トナー定着方式、サーマル方式、熱転写方式、インクジェット方式、ドットインパクト方式など既知のプリンターを用いて基紙に記録することにより形成することができる。
【００３４】
次に図３および図４を参照しつつ、裏面シート３について詳説する。裏面シート３は、図３および図４に示されるように、ミシン目１１ａ、１１ａとミシン目１１ｂとからなる横断線１１を境として第１領域１３と第２領域１４とに分けられる。また、裏面シート３は、第１剥離部８と第２剥離部９と第３剥離部１０との三つの領域から構成されている。第１剥離部８は、第２情報記録部６ａと同形で、図３および図４における上下両端縁が略コ字状に形成されたスリット１２の一部と、ミシン目１１ｂと、図３および図４における裏面シート３の右側端縁の一部とを端縁として形成されている。第２剥離部９は、第１情報記録部５ａと同形であり、スリット１２の一部と、スリット１２の一部と、横断線１１と、を端縁として形成されている。第３剥離部１０は、裏面シート３から第１剥離部８と第２剥離部９を除いた領域に形成されている。
【００３５】
上記のように形成された表面シート２と裏面シートとは、表面シート２の裏面側に裏面シートの表面側を、第１情報記録部５ａと第２剥離部９とが重なり合うように貼り合わせることで配送用伝票用紙１を形成する。
【００３６】
＜使用例＞
以下本発明に係る配送用伝票用紙１の具体的な使用例を図５から図１３を参照しつつ詳説する。
まず、図５に示すように、配送用伝票用紙の裏面側から第３剥離部１０を剥がす。その際、余白部分７、７だけは、第３剥離部１０から剥がさずに表面シート２からスリット４ａ、４ａおよびスリット６ｂ、６ｂで切り離し、第３剥離部１０と一体的に取り除く。図６は、取り除かれた第３剥離部１０および余白部分７、７を示している。
【００３７】
次に、余白部分７、７と第３剥離部１０とが取り除かれた配送用伝票用紙を、配送明細などが記載されている第２情報記録部６ａが配送用送り情報が記載された第１情報記録部５ａの裏面側に重なるようミシン目４ｂで折り返し、第２貼着部６ｃ、６ｃの裏面側に形成された粘着剤層を第２剥離部９の裏面側に貼着する。その状態を示しているのが図８および図９である。
【００３８】
そして、この状態で配送用伝票用紙を第１貼着部５ｃに設けられた粘着剤層（周辺粘着部）を介して商品などを梱包する容器に貼り付けて、顧客に商品を送付する。第２情報記録部６ａは第１情報記録部５ａと一体化されているので、第２情報記録部６ａが入れ忘れられることなく商品とともに注文者に確実に届けられる。
【００３９】
次に、商品を受け取った顧客は、図１０に示すように、第１情報記録部５ａおよび第２領域６を、ミシン目５ｂを裂いて第１領域５から切り離す。続いて、ミシン目６ｄ、６ｄで第２領域６を裂いて、図１１および図１２に示すように配送用伝票用紙を展開する。そして、図１３に示すように、第１情報記録部５ａおよび第２剥離部９と第２情報記録部６ａおよび第１剥離部８とをミシン目４ｂおよびミシン目１１ｂを裂くことで分離される。
【００４０】
＜第２の実施形態＞
次に、図１４から図１５を参照しつつ本発明に係る第２の実施形態である配送用伝票用紙５１について詳説する。なお、先に述べた配送用伝票用紙１と重複する箇所については説明を省略する。
【００４１】
図１４に示すように、ミシン目５５ｂおよびミシン目５６ｄ、５６ｄは、第２端点５４ｄ、５４ｄで接続されている。また、第１端点５４ｃ、５４ｃは、スリット５４ａ、５４ａ上に設けられており、その第１端点５４ｃ、５４ｃからは下側に向かってスリット５６ｂ、５６ｂが形成されている。
【００４２】
また、図１４に示すように、配送明細などが記載された第２情報記録部５６ａは、ミシン目５４ｂから表面シート５２の下側端縁に向かって延在するミシン目５６ｅによって、明細書部５６ｆと返品明細部５６ｇとに分離可能に分けられている。
【００４３】
次に裏面シート５３について説明する。裏面シート５３には、表面シート５２と重ね合わせた際に、表面シート５２のミシン目５５ｂおよび５６ｄ、５６ｄと対応するコ字状のミシン目５１２が設けられている。また、ミシン目５１２の外側には、同じくコ字状のスリット５１３が設けられている。裏面シート５３と表面シート５２とを重ね合わせた際、表面シート５２のスリット５６ｂは、スリット５１３よりも外側に位置しており重ならないようになっている。更に、第１剥離部５８上には、ミシン目５１１から裏面シート５３の下側端縁に向かって延在するミシン目５８ｅが設けられており、このミシン目５８ｅは、表面シート５２と裏面シート５３とを重ね合わせた際に、ミシン目５６ｅと重なるよう位置されている。
【００４４】
以上のように構成された配送用伝票用紙５１は、裏面シート５３におけるスリット５１３よりも外側の部分が余白部分５７、５７とともに除去されると第２貼着部５６ｃ、５６ｃの裏面側の粘着剤層の一部が露出する。次に、第２情報記録部５６ａが第１情報記録部５５ａの裏面側に重なるようミシン目５４ｂで折り返し、第２貼着部５６ｃ、５６ｃの裏面側に形成された粘着剤層を第２剥離部５９の裏面側に貼着する。そして、この状態で配送用伝票用紙を第１貼着部５５ｃに設けられた粘着剤層（周辺粘着部）を介して商品などを梱包する容器に貼り付ける。この場合、裏面シート５３のミシン目５１２とスリット５１３との間の部分は、表面側シート５２の裏面側に重ねられたまま残る。そうすると、第１情報記録部５５ａを対象物に貼り付けられた配送用伝票用紙５１から除去する際に、ミシン目５５ｂの周縁が先ほどのシン目５１２とスリット５１３との間の部分によって貼着されていないため、ミシン目５５ｂから第１情報記録部５５ａを捲り取りやすくなるという利点がある。
【００４５】
また、本実施形態のように返品明細部５６ｇを設けることで、更に細分化した情報を配送用伝票用紙５１に付加することができる。返品宛先ラベルには、あらかじめ受取人の個人情報が記載できるため返品時の荷受人の利便性が向上し、返品された側は、どこから返品されたのか確実に判明できるメリットがある。なお、ミシン目５６ｅを５５ｂまで上方向に延長し、裏面側が粘着加工された返品連絡表５５ｄを設けることもでき、返品時の荷受人の利便性が向上するメリットがある。
【００４６】
＜その他の実施形態＞
図１から図４に示される第２情報記録部６ａおよび第１剥離部８は、図１から図４における下方向に向かってさらに延在させることも可能である。さらに延在させることによって、より多くの情報を第２情報記録部６ａに書き込むことが可能となる。なお、その場合、第２領域６を第１情報記録部５ａの裏面側に重ねる際には、第２情報記録部６ａおよび第１剥離部８が配送用送り状部５ａ内に収まるよう折りたためばよい。
【００４７】
表面シート２の表面側に複写シートを積層することも可能である。そのように構成することによって、インパクトプリンターを使用することで記入される情報の複写物を容易に得ることができる。
【００４８】
第１剥離部８および第２剥離部９の表面側には剥離剤でなく、粘着剤の粘着効果を無効化する糊殺し層あるいは擬似接着層を形成することも可能である。このように構成すると、使用時において裏面シートを表面シート２より全て剥がして使用することができるため、第１剥離部８や第２剥離部９の剥がし間違いを防止することができる。また、配送用伝票用紙を対象物に対して貼り付けた際に、第１剥離部８および第２剥離部９がないため嵩張らないという利点も有している。
【産業上の利用可能性】
【００４９】
本発明は、上述の明細書付きの配送用伝票用紙のほか、書簡、荷物等を他人に受け渡したときに、その受領伝票を受けとる必要がある分野などにおいても利用することが可能である。
【図面の簡単な説明】
【００５０】
【図１】配送用伝票用紙の展開状態と表面シートの表面側を示す図である。
【図２】表面シートの裏面側を示す図である。
【図３】裏面シートの表面側を示す図である。
【図４】裏面シートの裏面側を示す図である。
【図５】配送用伝票用紙の使用状態を示す図である。
【図６】配送用伝票用紙の使用状態を示す図である。
【図７】配送用伝票用紙の使用状態を示す図である。
【図８】配送用伝票用紙の使用状態を示す図である。
【図９】配送用伝票用紙の使用状態を示す図である。
【図１０】配送用伝票用紙の使用状態を示す図である。
【図１１】配送用伝票用紙の使用状態を示す図である。
【図１２】配送用伝票用紙の使用状態を示す図である。
【図１３】配送用伝票用紙の使用状態を示す図である。
【図１４】配送用伝票用紙の他の実施形態を示す図である。
【図１５】配送用伝票用紙の他の実施形態を示す図である。
【符号の説明】
【００５１】
１…配送用伝票用紙、２…表面シート、２ａ…粘着剤層、３…裏面シート、３ａ…剥離剤層、４…横断線、４ａ…スリット、４ｂ…ミシン目、４ｃ…第１端点、４ｄ…第２端点、５…第１領域、５ａ…第１情報記録部、５ｂ…ミシン目、５ｃ…第１貼着部、６…第２領域、６ａ…第２情報記録部、６ｂ…スリット、６ｃ…第２貼着部、６ｄ…ミシン目、７…余白部分、８…第１剥離部、９…第２剥離部、１０…第３剥離部、１１…横断線、１１ａ…ミシン目、１１ｂ…、ミシン目、１１ｃ…第１端点、１１ｄ…第２端点、１２…スリット、１３…第１領域、１４…第２領域。
【図１】
0005112834.tif 000002
【図２】
0005112834.tif 000003
【図３】
0005112834.tif 000004
【図４】
0005112834.tif 000005
【図５】
0005112834.tif 000006
【図６】
0005112834.tif 000007
【図７】
0005112834.tif 000008
【図８】
0005112834.tif 000009
【図９】
0005112834.tif 000010
【図１０】
0005112834.tif 000011
【図１１】
0005112834.tif 000012
【図１２】
0005112834.tif 000013
【図１３】
0005112834.tif 000014
【図１４】
0005112834.tif 000015
【図１５】
0005112834.tif 000016